(57)【要約】【課題】ユーザが関心のある情報を出力できる情報処理システムを提供する。【解決手段】情報処理システムは、アプリケーションのユーザインターフェースを着せ替える着せ替えテーマを設定する着せ替えテーマ設定手段と、設定中の着せ替えテーマに関連する地理的情報を取得する地理的情報取得手段と、取得した地理的情報を出力する出力手段と、を備える。【選択図】  図１
2019020210.tif 000002
【特許請求の範囲】
【請求項１】
アプリケーションのユーザインターフェースを着せ替える着せ替えテーマを設定する着せ替えテーマ設定手段と、
前記設定中の着せ替えテーマに関連する地理的情報を取得する地理的情報取得手段と、
取得した地理的情報を出力する出力手段と、
を備えた情報処理システム。
【請求項２】
前記地理的情報取得手段は、前記設定中の着せ替えテーマに関連する地理的情報に加えて、当該テーマに関連する関連情報をさらに取得し、
前記出力手段は、取得した地理的情報とともに前記関連情報を出力する、請求項１に記載の情報処理システム。
【請求項３】
前記出力手段は、前記設定中の着せ替えテーマに関連する地理的情報を地図上に優先的に表示する、請求項１または２に記載の情報処理システム。
【請求項４】
前記出力手段は、検索結果として地理的情報を複数表示する際に、前記設定中の着せ替えテーマに関連する地理的情報を優先的に出力する、請求項１または２に記載の情報処理システム。
【請求項５】
アプリケーションのユーザインターフェースを着せ替える着せ替えテーマを設定する着せ替えテーマ設定手段と、
前記設定中の着せ替えテーマに関連する移動経路を抽出する着せ替えテーマ関連経路抽出手段と、
抽出した着せ替えテーマ関連経路を出力する出力手段と、
を備えた情報処理システム。
【請求項６】
前記着せ替えテーマ関連経路抽出手段は、前記設定中の着せ替えテーマを考慮して経路探索条件を設定し、設定した経路探索条件に基づいて着せ替えテーマ関連経路を抽出する、請求項５に記載の情報処理システム。
【請求項７】
前記着せ替えテーマ関連経路抽出手段は、前記設定中の着せ替えテーマに関連する移動手段を含む経路を抽出する、請求項５に記載の情報処理システム。
【請求項８】
前記出力手段は、検索結果として移動経路を複数出力する際に、前記設定中の着せ替えテーマに関連する移動経路を優先的に出力する、請求項５〜７のいずれかに記載の情報処理システム。
【請求項９】
コンピュータを、
アプリケーションのユーザインターフェースを着せ替える着せ替えテーマを設定する着せ替えテーマ設定手段、
前記設定中の着せ替えテーマに関連する地理的情報を取得する地理的情報取得手段、
取得した地理的情報を出力する出力手段、
として機能させる情報処理プログラム。
【請求項１０】
コンピュータを、
アプリケーションのユーザインターフェースを着せ替える着せ替えテーマを設定する着せ替えテーマ設定手段、
前記設定中の着せ替えテーマに関連する移動経路を抽出する着せ替えテーマ関連経路抽出手段、
抽出した着せ替えテーマ関連経路を出力する出力手段、
として機能させる情報処理プログラム。
【請求項１１】
通信可能に接続された複数のコンピュータによって構成される情報処理システムであって、
アプリケーションのユーザインターフェースを着せ替える着せ替えテーマを設定する着せ替えテーマ設定手段と、
前記設定中の着せ替えテーマに関連する地理的情報を取得する地理的情報取得手段と、
取得した地理的情報を出力する出力手段と、
を備えた情報処理システムを機能させるために、
上記コンピュータの少なくとも１つを上記手段の少なくとも１つとして機能させるための情報処理プログラム。
【請求項１２】
通信可能に接続された複数のコンピュータによって構成される情報処理システムであって、
アプリケーションのユーザインターフェースを着せ替える着せ替えテーマを設定する着せ替えテーマ設定手段と、
前記設定中の着せ替えテーマに関連する移動経路を抽出する着せ替えテーマ関連経路抽出手段と、
抽出した着せ替えテーマ関連経路を出力する出力手段と、
を備えた情報処理システムを機能させるために、
上記コンピュータの少なくとも１つを上記手段の少なくとも１つとして機能させるための情報処理プログラム。
【請求項１３】
通信可能に接続された複数のコンピュータによって、
アプリケーションのユーザインターフェースを着せ替える着せ替えテーマを設定する着せ替えテーマ設定手段と、
前記設定中の着せ替えテーマに関連する地理的情報を取得する地理的情報取得手段と、
取得した地理的情報を出力する出力手段と、
を備えた情報処理システムを構成するために、
上記手段の少なくとも１つを備えた情報処理装置。
【請求項１４】
通信可能に接続された複数のコンピュータによって、
アプリケーションのユーザインターフェースを着せ替える着せ替えテーマを設定する着せ替えテーマ設定手段と、
前記設定中の着せ替えテーマに関連する移動経路を抽出する着せ替えテーマ関連経路抽出手段と、
抽出した着せ替えテーマ関連経路を出力する出力手段と、
を備えた情報処理システムを構成するために、
上記手段の少なくとも１つを備えた情報処理装置。
【請求項１５】
着せ替えテーマ設定手段が、アプリケーションのユーザインターフェースを着せ替える着せ替えテーマを設定するステップと、
地理的情報取得手段が、前記設定中の着せ替えテーマに関連する地理的情報を取得するステップと、
出力手段が、取得した地理的情報を出力するステップと、
を備えた情報処理方法。
【請求項１６】
着せ替えテーマ設定手段が、アプリケーションのユーザインターフェースを着せ替える着せ替えテーマを設定するステップと、
着せ替えテーマ関連経路抽出手段が、前記設定中の着せ替えテーマに関連する移動経路を抽出するステップと、
出力手段が、抽出した着せ替えテーマ関連経路を出力するステップと、
を備えた情報処理方法。
【発明の詳細な説明】
【技術分野】
【０００１】
本発明は、情報処理システム、情報処理プログラム、情報処理装置および情報処理方法に関する。
【背景技術】
【０００２】
近年、カーナビゲーション装置など、ユーザに対して経路案内を行う装置において、表示画面の現在地カーソルやボタンの配色、ガイド音声などを、簡易な操作により、ユーザの好みのテーマで統一的に変更する（いわゆる、着せ替える）機能が提案されている。たとえば、特許文献１には、外部機器により読み取られたバーコードなどのコード情報に基づいて着せ替えテーマを簡易に変更できるナビゲーション装置が提案されている。
【先行技術文献】
【特許文献】
【０００３】
【特許文献１】特開２００７−２１３３９４号公報
【発明の概要】
【発明が解決しようとする課題】
【０００４】
ところで、ナビゲーション装置においては、ユーザが関心のある情報を優先的に表示することが望まれているところ、上記した従来のナビゲーション装置では、着せ替えの動作は、表示画面の画面設定や音声を変更するものでしかなく、実際の施設などと連携されたものではない。そのため、着せ替えテーマに関連する施設などの情報を取得することはできないし、着せ替えテーマに関連する実店舗がユーザの近くにあったとしても、それをユーザに通知することができない。
【０００５】
本発明は、以上のような点を考慮してなされたものである。本発明の目的は、ユーザが関心のある情報を出力できる情報処理システム、情報処理プログラム、情報処理装置および情報処理方法を提供することにある。
【課題を解決するための手段】
【０００６】
本発明に係る情報処理システムは、
アプリケーションのユーザインターフェースを着せ替える着せ替えテーマを設定する着せ替えテーマ設定手段と、
前記設定中の着せ替えテーマに関連する地理的情報を取得する地理的情報取得手段と、
取得した地理的情報を出力する出力手段と、
を備える。
【発明の効果】
【０００７】
本発明によれば、ユーザが関心のある情報を出力できる。
【図面の簡単な説明】
【０００８】
【図１】図１は、一実施の形態に係る情報処理システムの概略的な構成を示す図である。
【図２】図２は、着せ替えテーマとカテゴリとの対応関係を示すテーブルの一例である。
【図３】図３は、一実施の形態に係る情報処理システムの動作の一例を示すフローチャートである。
【図４】図４は、一実施の形態に係る情報処理システムにより表示される画面であって、基本の着せ替えテーマが適用された画面の一例を示す図である。
【図５】図５は、一実施の形態に係る情報処理システムにより表示される画面であって、着せ替えテーマを変更する画面の一例を示す図である。
【図６】図６は、一実施の形態に係る情報処理システムにより表示される画面であって、「Ｎａｖｉ  Ｓｔｏｒｙ」の着せ替えテーマが適用された画面の一例を示す図である。
【図７】図７は、一実施の形態に係る情報処理システムにより表示される画面であって、地図を表示する画面の一例を示す図である。
【図８】図８は、一実施の形態の第１の変形例に係る情報処理システムの動作の一例を示すフローチャートである。
【図９】図９は、一実施の形態に第１の変形例に係る情報処理システムにより表示される画面であって、映画館のアイコンとともに「Ｎａｖｉ  Ｓｔｏｒｙ」の上映時間が吹き出しで表示されている画面の一例を示す図である。
【図１０】図１０は、一実施の形態の第２の変形例に係る情報処理システムの動作の一例を示すフローチャートである。
【図１１Ａ】図１１Ａは、一実施の形態の第２の変形例に係る情報処理システムにより表示される画面であって、地理的情報検索画面の一例を示す図である。
【図１１Ｂ】図１１Ｂは、一実施の形態の第２の変形例に係る情報処理システムにより表示される画面であって、検索結果としての映画館を複数表示する画面の一例を示す図である。
【図１２】図１２は、一実施の形態の第３の変形例に係る情報処理システムの動作の一例を示すフローチャートである。
【図１３】図１３は、一実施の形態の第３の変形例に係る情報処理システムにより表示される画面であって、現在位置の周囲に「Ｎａｖｉ  Ｓｔｏｒｙ」を上映中の映画館があることを通知する画面の一例を示す図である。
【図１４】図１４は、一実施の形態の第４の変形例に係る情報処理システムの動作の一例を示すフローチャートである。
【図１５】図１５は、一実施の形態の第４の変形例に係る情報処理システムにより表示される画面であって、「ナビエアライン」の着せ替えテーマが適用された画面の一例を示す図である。
【図１６】図１６は、一実施の形態の第４の変形例に係る情報処理システムにより表示される画面であって、経路探索条件に基づいて抽出した経路を表示する画面の一例を示す図である。
【発明を実施するための形態】
【０００９】
以下に、添付の図面を参照して、本発明の実施の形態を詳細に説明する。なお、各図において同等の機能を有する構成要素には同一の符号を付し、同一符号の構成要素の詳しい説明は繰り返さない。
【００１０】
（第１の実施形態）
第１の実施形態に係る情報処理システムについて説明する。図１は、第１の実施形態に係る情報処理システム１の概略的な構成を示す図である。
【００１１】
図１に示すように、情報処理システム１は、端末装置２と、サーバ３とを備えている。端末装置２とサーバ３とは、インターネット等のネットワーク４を介して互いに通信可能に接続されている。ネットワーク４は、有線回線と無線回線のいずれでもよく、回線の種類や形態は問わない。なお、端末装置２およびサーバ３の少なくとも一部は、コンピュータにより実現される。
【００１２】
端末装置２は、ユーザが使用するものであり、たとえば、スマートフォンやタブレット端末などのモバイル端末、ノートブックコンピュータ、またはデスクトップコンピュータなどの電子機器である。
【００１３】
図１に示すように、端末装置２は、端末通信部２１と、端末制御部２２と、端末記憶部２３と、端末入力部２４と、出力手段の一例である端末出力部２５とを有している。各部は、バスを介して互いに通信可能に接続されている。
【００１４】
端末通信部２１は、端末装置２とネットワーク４との間の通信インターフェースである。端末通信部２１は、ネットワーク４を介して端末装置２とサーバ３との間で情報を送受信する。
【００１５】
端末制御部２２は、図１に示すように、着せ替えテーマ設定手段の一例である着せ替えテーマ設定部２２ａを有している。着せ替えテーマ設定部２２ａは、端末装置２内のプロセッサが所定のプログラムを実行することにより実現されてもよい。着せ替えテーマ設定部２２ａについては、後述する。
【００１６】
端末記憶部２３は、たとえば内蔵メモリや外部メモリ（ＳＤメモリカード等）などのデータストレージである。端末記憶部２３には、端末制御部２２が取り扱う各種データが記憶される。端末記憶部２３は、必ずしも端末装置２内に設けられていなくてもよく、ネットワーク４を介して端末装置２と通信可能に接続された別の装置（たとえば、サーバ）内に設けられていてもよい。
【００１７】
端末入力部２４は、ユーザが端末装置２に情報を入力するためのインターフェースであり、たとえばモバイル端末におけるタッチパネルやマイクロフォン、ノートブックコンピュータにおけるタッチパッド、キーボードまたはマウスなどである。
【００１８】
端末出力部２５は、端末装置２からユーザに対して各種情報を出力するインターフェースであり、たとえば液晶ディスプレイ等の映像表示手段である。具体的には、たとえば、端末出力部２５は、ユーザからの操作を受け付けるためのＧＵＩ（Ｇｒａｐｈｉｃａｌ  Ｕｓｅｒ  Ｉｎｔｅｒｆａｃｅ）を表示する。端末出力部２５は、各種情報を音声出力するスピーカであってもよい。
【００１９】
次に、サーバ３について説明する。図１に示すように、サーバ３は、サーバ通信部３１と、サーバ制御部３２と、サーバ記憶部３３とを有している。各部は、バスを介して互いに通信可能に接続されている。
【００２０】
このうちサーバ通信部３１は、サーバ３とネットワーク４との間の通信インターフェースである。サーバ通信部３１は、ネットワーク４を介して端末装置２とサーバ３との間で情報を送受信する。
【００２１】
サーバ制御部３２は、地理的情報取得手段の一例である地理的情報取得部３２ａと、着せ替えテーマ関連経路抽出手段の一例である着せ替えテーマ関連経路抽出部３２ｂとを有している。これらの各部は、サーバ３内のプロセッサが所定のプログラムを実行することにより実現されてもよい。これらの各部については、後述する。
【００２２】
サーバ記憶部３３は、たとえばハードディスク等の固定型データストレージである。サーバ記憶部３３には、サーバ制御部３２が取り扱う各種データが記憶される。たとえば、サーバ記憶部３３には、ネットワーク情報データベース、交通情報データベース、地図情報データベース等が記憶される。
【００２３】
ネットワーク情報データベースは、交通網を規定するネットワーク情報を記憶するネットワーク情報記憶手段である。ここで、ネットワーク情報は、交通網表現上の結節点であるノードと、当該ノード間を接続するリンクと、の組み合わせによって表現されるネットワークに関する情報であってもよい。また、ネットワーク情報は、道路ネットワーク情報、路線網ネットワーク情報、および、施設内ネットワーク情報を含んでいてもよい。これらネットワーク情報は、ネットワーク情報データベースに予め記憶されており、サーバ制御部３２は、定期的にネットワーク４を介して最新のデータを外部機器（例えば、地図情報を提供する地図提供サーバなど）等からダウンロードしてネットワーク情報データベースに記憶されたネットワーク情報をアップデートしてもよい。
【００２４】
ここで、ネットワーク情報に含まれる道路ネットワーク情報は、道路網を規定するネットワーク情報であり、例えば、交差点等の道路網表現上の結節点であるノードのノードデータと、ノード間の道路区間であるリンクのリンクデータとの組み合わせによって表現されるネットワーク情報である。ここで、ノードデータには、ノード番号（例えば、ノードＩＤ等）、ノードの名称、緯度経度高度等の位置座標、ノード種別、接続するリンク本数、接続ノード番号、および、交差点名称等の情報を含んでいてもよい。また、リンクデータには、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および二輪・軽車両専用通行帯等の専用通行帯、路線バス等優先通行帯、車両通行区分、ならびに、進行方向別通行区分などについての車両通行帯情報等）、制限速度、車線変更規制、高架、トンネルおよび橋等のリンク内属性、ならびに、名称等の情報を含んでいてもよい。また、道路ネットワーク情報は、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワーク情報は、自動車、オートバイ、自転車、および、徒歩等で移動する場合の経路上に存在する施設等の緯度経度情報などの位置情報等を記憶してもよい。
【００２５】
また、ネットワーク情報に含まれる路線網ネットワーク情報は、鉄道、飛行機、バス、および、船等の各交通機関（例えば、公共交通機関等）の路線網を規定するネットワーク情報であり、例えば、路線網表現上の結節点であるノード（例えば、交通機関の停留地点である駅、停留場、停車場、停留所、空港、港、および、ターミナル等）のノードデータと、ノード間を接続する鉄道路線、航空路線、航路、および、バス路線等のリンクのリンクデータとの組み合わせによって表現されるネットワーク情報である。ここで、路線とは、交通機関が通過する出発地と目的地とを結ぶ線であってもよい。また、鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、および、リニアモーターカー等であってもよい。また、ノードデータには、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置座標等の情報を含んでいてもよい。また、リンクデータには、リンク番号（例えば、リンクＩＤ等）、開始ノードＩＤ、終了ノードＩＤ、種別、リンク長（例えば、距離等）、高架、トンネルおよび橋等のリンク内属性、ならびに、名称（例えば、路線名など）等の情報を含んでいてもよい。また、路線網ネットワーク情報は、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）のノードデータと、当該ノード間を接続する鉄道路線、および、バス路線等のリンクのリンクデータとの組み合わせによって表現されるネットワーク情報を当該種別に対応付けて含んでいてもよい。
【００２６】
また、路線網ネットワーク情報は、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワーク情報は、交通機関の利用料金データを含んでいてもよい。ここで、利用料金データは、例えば、鉄道、飛行機、バス、および、船等の各交通機関を利用した場合に生じる利用料金等を表す情報等であってもよい。また、路線網ネットワーク情報は、乗車位置データを含んでいてもよい。ここで、乗車位置データは、例えば、電車、市電、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。
【００２７】
また、ネットワーク情報に含まれる施設内ネットワーク情報は、施設内の経路網を規定するネットワーク情報である。ここで、施設内ネットワーク情報は、例えば、建造物内の店舗、会社、事務所、およびトイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードのノードデータと、ノード間を接続する通路、階段、動く歩道、エスカレータ、および、エレベータ等であるリンクのリンクデータとの組み合わせによって表現されるネットワーク情報である。ここで、ノードデータには、ノード番号（例えば、ノードＩＤ等）、ノードの名称（出入口名および乗降口名等）、緯度経度高度等の位置座標、ノード種別（例えば、出入口、乗降口、通路の曲がり角、および通路の分岐点等）、接続するリンク本数、および、接続ノード番号等の情報を含んでいてもよい。また、リンクデータには、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００２８】
交通情報データベースは、交通機関の運行情報を含む交通情報を記憶する交通情報記憶手段である。ここで、運行情報は、鉄道運行情報、航空運行情報、船舶運行情報、および、バス運行情報等を含んでいてもよい。また、運行情報は、交通機関の時刻表情報（運行時刻情報）を含んでいてもよい。また、運行情報は、交通機関単位の時刻表情報（例えば、各交通機関が経由する停留地点の経由時刻を定めた時刻表情報等）であってもよく、停留所単位の時刻表情報（例えば、各停留地点を経由する交通機関の到着時刻を定めた時刻表情報等）であってもよい。なお、運行情報は、路線または運行便毎の、経由する停留所およびその経由予定時刻に関する情報を含んでいてもよい。ここで、時刻表情報は、鉄道、飛行機、バス、および、船等の各交通機関の時刻表を表す情報であってもよい。また、時刻表情報は、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。また、時刻表情報は、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表情報は、交通機関の路線上のノードを結ぶ区間（例えば、一つまたは複数のリンク等）毎に対応付けられた交通機関の属性情報（例えば、種別および行先情報等）を含んでいてもよい。また、時刻表情報は、各交通機関の乗降に用いられる乗降場所の名称および識別番号（例えば、プラットホーム番号など）等の乗降場所の属性情報を含んでいてもよい。
【００２９】
また、交通情報は、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。また、交通情報は、交通規制情報を含んでいてもよい。ここで、交通規制情報は、工事、事故、または、車両故障等により車両通行帯等が走行不能または走行困難となる通行規制情報であってもよい。また、これら交通情報は、交通情報データベースに予め記憶されており、サーバ制御部３２は、定期的（例えば、５分毎等）にネットワーク４を介して最新のデータを外部システム（例えば、警察庁、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）（登録商標）、および、ＡＴｉＳ（Ａｄｖａｎｃｅｄ  Ｔｒａｆｆｉｃ  Ｉｎｆｏｒｍａｔｉｏｎ  Ｓｅｒｖｉｃｅ）（登録商標）、日本道路交通情報センター（ＪＡＲＴＩＣ）（登録商標）、鉄道会社、および、交通情報配信サーバ（サービス）など）等からダウンロードして交通情報データベースに記憶された交通情報をアップデートしてもよい。
【００３０】
地図情報データベースは、地図の地図情報を記憶する地図情報記憶手段である。ここで、地図情報は、本発明において、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図や路線図等の屋外地図情報を含んでいてもよい。また、地図情報は、例えば、高さ情報を持つ建築物（例えば、立体駐車場、駅、デパート、および、学校等）に関するフロア案内地図等の屋内地図情報を更に含んでいてもよい。
【００３１】
また、地図情報は、地図上に表示される地物（例えば、ビルや住宅や駅等の建造物、道路、線路、橋、トンネル、等高線、海岸線や湖岸線等の水涯線、海、河川、湖、池、沼、公園や屋外施設等の場地、行政界、行政区域、および、街区等）の形状についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および、口コミ情報等）の注記データ、および、地図上に表示される記号（例えば、山、史跡、寺社、学校、病院、工場および墓地等の地図記号、ガソリンスタンド、コンビニエンスストア、スーパーマーケット、レストラン、銀行および郵便局等の店舗記号、道路上の信号、有料道路の出入口、料金所、サービスエリア、パーキングエリアおよびインターチェンジ等の記号、駐車場、駅、ホテル、美術館および博物館等の施設記号、ならびに、口コミ地点記号等）の記号データ等のデータを含んでいてもよい。また、地図情報は、ＰＯＩ（ｐｏｉｎｔ  ｏｆ  ｉｎｔｅｒｅｓｔ）の地点情報等を含むＰＯＩ情報を含んでいてもよい。ここで、ＰＯＩとは、便利な場所や興味のある場所などとして人が知覚する特定の地点および施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。
【００３２】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。
【００３３】
また、屋外地図情報および屋内地図情報は、ラスタ形式およびベクタ形式等の地図描画用の画像であってもよい。これら屋外地図情報および屋内地図情報は、地図情報データベースに予め記憶されており、サーバ制御部３２は、定期的にネットワーク４を介して最新のデータを外部機器（例えば、地図情報を提供する地図提供サーバなど）等からダウンロードして地図情報データベースに記憶された屋外地図情報および屋内地図情報をアップデートしてもよい。
【００３４】
また、サーバ記憶部３３には、端末装置２の端末出力部２５に表示されるホーム画面、地図表示画面、地理的情報検索画面、経路探索画面、経路案内画面などの各種の画面を構成する、レイアウト、色設定、画像、音声などのアプリケーションのユーザインターフェースに係る情報（以下、「画面設定情報」という）を、アプリケーションのユーザインターフェースを着せ替える着せ替えテーマごとに記憶する着せ替え情報データベースが記憶されている。着せ替え情報データベースには、図２に示すように、着せ替えテーマごとに、着せ替えテーマに関連するカテゴリの情報が記憶されていてもよい。
【００３５】
なお、サーバ記憶部３３は、必ずしもサーバ３内に設けられなくてもよく、ネットワーク４を介してサーバ３と通信可能に接続された別の装置内に設けられてもよい。
【００３６】
（動作の一例）
次に、図３を参照して、情報処理システム１の動作の一例について説明する。図３は、情報処理システム１の動作の一例を示すフローチャートである。
【００３７】
まず、端末制御部２２は、図４に示すようなホーム画面を端末出力部２５に表示する。図４に示す例では、ホーム画面は、「基本」の着せ替えテーマとして端末記憶部２３に予め記憶された背景画像５０Ａや着せ替えアイコン５１、地図表示アイコン５２、地理的情報検索アイコン５３などから構成されている。
【００３８】
ユーザにより端末入力部２４を介して着せ替えアイコン５１が指定（たとえば、タッチパネル式の表示部におけるタッチ操作など）されると、着せ替えテーマ設定部２２ａは、図５に示すような複数の着せ替えテーマ６１〜６３を一覧で表示する画面を端末出力部２５に表示する。
【００３９】
図５に示す例では、「基本」の着せ替えテーマ６１に「適用中」のラベル６１が付され、「Ｎａｖｉ  Ｓｔｏｒｙ」の着せ替えテーマ６２と「ナビエアライン」の着せかテーマ６３にそれぞれ「適用する」のボタン６２、６３が付されている。
【００４０】
たとえば、ユーザにより端末入力部２４を介して「Ｎａｖｉ  Ｓｔｏｒｙ」の着せ替えテーマ６２に付された「適用する」のボタン６２がクリック（またはタッチ）されると、着せ替えテーマ設定部２２ａは、設定中の着せ替えテーマを、「基本」の着せ替えテーマから「Ｎａｖｉ  Ｓｔｏｒｙ」の着せ替えテーマへと新たに設定する（ステップＳ１０）。
【００４１】
着せ替えテーマ設定部２２ａは、設定された着せ替えテーマ（すなわち、「Ｎａｖｉ  Ｓｔｏｒｙ」の着せ替えテーマ）の情報を、端末通信部２１を通じてサーバ３に送信する。
【００４２】
サーバ制御部３２は、端末装置２から送信された設定中の着せ替えテーマに対応する画面設定情報を、サーバ記憶部３３に記憶された着せ替え情報データベースから読み出して、サーバ通信部３１を通じて端末装置２に送信する。
【００４３】
端末制御部２２は、サーバ３から送信された画面設定情報に基づいて、端末出力部２５に表示されるホーム画面、地図表示画面、地理的情報検索画面、経路探索画面、経路案内画面などの各種の画面を構成する、レイアウト、色設定、画像、音声などのアプリケーションのユーザインターフェースに係る設定を変更する（すなわち、着せ替えを行う）。
【００４４】
たとえば、端末制御部２２は、図６に示すような設定された着せ替えテーマに応じたホーム画面を端末出力部２５に表示する。図６に示す例では、ホーム画面は、「Ｎａｖｉ  Ｓｔｏｒｙ」の着せ替えテーマとして着せ替え情報データベースに記憶されていた背景画像５０Ｂや着せ替えアイコン５１、地図表示アイコン５２、地理的情報検索アイコン５３などから構成されている。
【００４５】
次に、ユーザにより端末入力部２４を介して地図表示アイコン５２が指定（たとえば、タッチパネル式の表示部におけるタッチ操作など）されると、端末制御部２２は、たとえば、ＧＰＳ、ビーコンなどの電波航法手段による測位情報に基づいて端末装置２の現在位置の情報を取得し、地図表示要求とともに端末装置２の現在の位置情報および設定中の着せ替えテーマの情報を、端末通信部２１を通じてサーバ３に送信する（ステップＳ１１）。
【００４６】
サーバ制御部３２は、端末装置２の現在位置の情報に基づいて、要求された地図を地図情報データベースから取得する（ステップＳ１２）。
【００４７】
また、地理的情報取得部３２ａは、端末装置２の設定中の着せ替えテーマの情報に基づいて、取得した地図の範囲内にある、設定中の着せ替えテーマに関連する地理的情報（ＰＯＩ情報）を、地図情報データベースから取得する（ステップＳ１３）。具体的には、たとえば、地理的情報取得部３２ａは、図２を参照し、設定中の着せ替えテーマ（「Ｎａｖｉ  Ｓｔｏｒｙ」の着せ替えテーマ）に対応付けられたカテゴリ（「映画」）の情報を着せ替え情報データベースから取得し、取得したカテゴリに関連するＰＯＩの情報（たとえば「映画館」の情報）を、地理的情報として地図情報データベースから取得する。地理的情報取得部３２ａは、「Ｎａｖｉ  Ｓｔｏｒｙ」を上映中の映画館の情報のみ取得してもよいし、「Ｎａｖｉ  Ｓｔｏｒｙ」を上映中の映画館の情報と上映していない映画館の情報の両方を取得してもよい。
【００４８】
サーバ制御部３２は、取得した地図情報および設定中の着せ替えテーマに関連する地理的情報を、サーバ通信部３１を通じて端末装置２に送信する。
【００４９】
端末出力部２５は、サーバ３から送信された地図情報に基づいて、図７に示すような地図表示画面を表示する（ステップＳ１４）。図７に示す例において、符号７０は、現在地カーソルを示している。
【００５０】
また、端末出力部２５は、地図を表示する際に、図７に示すように、サーバ３から送信された設定中の着せ替えテーマ（「Ｎａｖｉ  Ｓｔｏｒｙ」の着せ替えテーマ）に関連する地理的情報（「映画館」の情報）７１、７２を、地図上にたとえばアイコンを用いて表示する。端末出力部２５は、設定中の着せ替えテーマに関連する地理的情報７１、７２を、他の地理的情報に比べて優先的に地図上に表示してもよいし、他の地理的情報と優先度で区別することなく単純に地図上に表示してもよい。
【００５１】
ところで、発明が解決しようとする課題の欄でも言及したように、ナビゲーション装置においては、ユーザが関心のある情報を優先的に表示することが望まれているところ、従来のナビゲーション装置では、着せ替えの動作は、表示画面の画面設定や音声を変更するものでしかなく、実際の施設などと連携されたものではない。そのため、着せ替えテーマに関連する施設などの情報を取得することはできないし、着せ替えテーマに関連する実店舗があったとしても、それをユーザに通知することができない。
【００５２】
これに対し、本実施の形態によれば、地理的情報取得部３２ａが、設定中の着せ替えテーマに関連する地理的情報を取得し、端末出力部２５が、取得した地理的情報（すなわち、設定中の着せ替えテーマに関連する地理的情報）を出力する。ここで、「着せ替え」という行為は、ユーザの属性／関心の表明であり、ユーザは設定中の着せ替えテーマに関連する地理的情報に対して関心を抱いている傾向がある。したがって、設定中の着せ替えテーマに関連する地理的情報を表示することにより、ユーザが関心のある情報を提示することができる。なお、地理的情報取得部３２ａが、設定中の着せ替えテーマに関連する地理的情報に加えて、設定中の着せ替えテーマに関連する広告情報を取得し、端末出力部２５が、取得した地理的情報を出力する際に、取得した広告情報を追加で出力してもよい（ターゲティング広告）。
【００５３】
（第１の変形例）
第１の変形例について、図８および図９を参照して説明する。図８は、第１の変形例に係る情報処理システム１の動作の一例を示すフローチャートである。図９は、第１の変形例に係る情報処理システム１により表示される画面の一例を示す図である。第１の変形例において、地理的情報取得部３２ａが、設定中の着せ替えテーマに関連する地理的情報を取得するまでの工程（ステップＳ１０〜Ｓ１３）は、上述した実施の形態と同様であり、説明を省略する。
【００５４】
図８に示すように、第１の変形例では、地理的情報取得部３２ａは、設定中の着せ替えテーマに関連する地理的情報に加えて、当該テーマに関連する関連情報をさらに取得する（ステップＳ１３ａ）。具体的には、たとえば、地理的情報取得部３２ａは、設定中の着せ替えテーマ（「Ｎａｖｉ  Ｓｔｏｒｙ」の着せ替えテーマ）に対応付けられたカテゴリ（「映画」）の情報を着せ替え情報データベースから取得し、取得したカテゴリに関連するＰＯＩの情報（「映画館」の情報）を、地理的情報として地図情報データベースから取得したのち、取得した地理的情報（「映画館」の情報）における、設定中の着せ替えテーマ（「Ｎａｖｉ  Ｓｔｏｒｙ」の着せ替えテーマ）に関連する情報（たとえば、「Ｎａｖｉ  Ｓｔｏｒｙ」の上映時間）を、外部の検索エンジンなどを利用して取得する。ここで、関連情報は、設定中の着せ替えテーマに関連するものであれば特に限定されるものではなく、一例として、施設の詳細情報、クーポンなどのインセンティブ情報、広告情報などが含まれる。
【００５５】
サーバ制御部３２は、取得した地図情報および設定中の着せ替えテーマに関連する地理的情報に加えて、当該テーマに関連する関連情報を、サーバ通信部３１を通じて端末装置２に送信する。
【００５６】
端末出力部２５は、上述した実施の形態と同様に、サーバ３から送信された地図情報に基づいて、図９に示すような地図表示画面を表示するとともに（ステップＳ１４）、サーバ３から送信された設定中の着せ替えテーマ（「Ｎａｖｉ  Ｓｔｏｒｙ」の着せ替えテーマ）に関連する地理的情報（「映画館」の情報）７１、７２を、地図上にたとえばアイコンを用いて表示する（ステップＳ１５）。
【００５７】
また、端末出力部２５は、図９に示すように、サーバ３から送信された当該テーマに関連する関連情報（「Ｎａｖｉ  Ｓｔｏｒｙ」の上映時間）を、たとえば地理的情報を表示するアイコンからの「吹き出し」７１ａ、７２ａで表示する（ステップＳ１５ａ）。
【００５８】
以上のような第１の変形例によれば、地理的情報取得部３２ａが、設定中の着せ替えテーマに関連する地理的情報に加えて、当該テーマに関連する関連情報をさらに取得し、端末出力部２５は、設定中の着せ替えテーマに関連する地理的情報とともに前記関連情報を出力することで、ユーザが関心のある情報をより効果的に出力することができる。
【００５９】
（第２の変形例）
第２の変形例について、図１０および図１１Ａ、図１１Ｂを参照して説明する。図１０は、第２の変形例に係る情報処理システム１の動作の一例を示すフローチャートである。図１１Ａ、図１１Ｂは、第２の変形例に係る情報処理システム１により表示される画面の一例を示す図である。第２の変形例において、着せ替えテーマ設定部２２ａが着せ替えテーマを設定する工程（ステップＳ２０）は、図３に示す実施の形態の対応する工程（ステップＳ１０）と同様であり、説明を省略する。
【００６０】
着せ替えテーマ設定部２２ａは、着せ替えテーマを設定したのち、設定された着せ替えテーマ（たとえば、「Ｎａｖｉ  Ｓｔｏｒｙ」の着せ替えテーマ）の情報を、端末通信部２１を通じてサーバ３に送信する。
【００６１】
サーバ制御部３２は、端末装置２から送信された設定中の着せ替えテーマに対応する画面設定情報を、サーバ記憶部３３に記憶された着せ替え情報データベースから読み出して、サーバ通信部３１を通じて端末装置２に送信する。
【００６２】
端末制御部２２は、サーバ３から送信された画面設定情報に基づいて、端末出力部２５に表示されるホーム画面、地図表示画面、地理的情報検索画面、経路探索画面、経路案内画面などの各種の画面を構成する、レイアウト、色設定、画像、音声などのアプリケーションのユーザインターフェースに係る設定を変更する（すなわち、着せ替えを行う）。
【００６３】
たとえば、端末制御部２２は、図６に示すような設定された着せ替えテーマに応じたホーム画面を端末出力部２５に表示する。図６に示す例では、ホーム画面は、「Ｎａｖｉ  Ｓｔｏｒｙ」の着せ替えテーマとして着せ替え情報データベースに記憶されていた背景画像５０Ｂや着せ替えアイコン５１、地図表示アイコン５２、地理的情報検索アイコン５３などから構成されている。
【００６４】
次に、ユーザにより端末入力部２４を介して地理的情報検索アイコン５３が指定（たとえば、タッチパネル式の表示部におけるタッチ操作など）されると、端末制御部２２は、図１１Ａに示すような、設定中の着せ替えテーマに応じた地理的検索画面を端末出力部２５に表示する。地理的検索画面には、検索ワードを入力するための検索窓８０が含まれる。
【００６５】
ユーザにより端末入力部２４を介して検索窓８０に検索ワード（たとえば、「映画館」）が入力されると、端末制御部２２は、たとえば、ＧＰＳ、ビーコンなどの電波航法手段による測位情報に基づいて端末装置２の現在位置の情報を取得し、入力された検索ワードの情報とともに、端末装置２の現在の位置情報を、端末通信部２１を通じてサーバ３に送信する。
【００６６】
地理的情報取得部３２ａは、端末装置２から送信された設定中の位置情報および検索ワードの情報に基づいて、端末装置２の現在位置の周辺にある、検索ワード（「映画館」）に対応するＰＯＩの情報を、検索結果としての地理的情報として地図情報データベースから取得する（ステップＳ２２）。地理的情報取得部３２ａは、第１の変形例と同様に、設定中の着せ替えテーマ（「Ｎａｖｉ  Ｓｔｏｒｙ」の着せ替えテーマ）に関連する情報（たとえば、「Ｎａｖｉ  Ｓｔｏｒｙ」の上映時間）を、外部の検索エンジンなどを利用してさらに取得してもよい。
【００６７】
サーバ制御部３２は、取得した検索結果としての地理的情報を、サーバ通信部３１を通じて端末装置２に送信する。サーバ制御部３２は、取得した検索結果としての地理的情報に加えて、設定中の着せ替えテーマに関連する関連情報を、サーバ通信部３１を通じて端末装置２に送信してもよい。
【００６８】
端末制御部２２は、設定中の着せ替えテーマ（「Ｎａｖｉ  Ｓｔｏｒｙ」の着せ替えテーマ）の情報に基づいて、サーバ３から送信された検索結果としての地理的情報（「映画館」）の中から、設定中の着せ替えテーマに関連する地理的情報（たとえば、「Ｎａｖｉ  Ｓｔｏｒｙ」を上映中の映画館）を特定する（ステップＳ２３）。
【００６９】
端末出力部２５は、図１１Ｂに示すように、サーバ３から送信された検索結果としての地理的情報（「映画館」）８１〜８６を表示する。このとき、端末出力部２５は、設定中の着せ替えテーマに関連する地理的情報８１（「Ｎａｖｉ  Ｓｔｏｒｙ」を上映中の映画館）が優先的に表示される順序で、検索結果としての地理的情報を表示する（ステップＳ２４）。図１１Ｂに示す例では、「Ｎａｖｉ  Ｓｔｏｒｙ」を上映中の映画館８１は、符号８２を付された映画館より離れた位置あるにも関わらず、上位に（優先的に）表示されている。
【００７０】
また、端末出力部２５は、第１の変形例と同様に、サーバ３から送信された設定中の着せ替えテーマに関連する関連情報（「Ｎａｖｉ  Ｓｔｏｒｙ」の上映時間）を、検索結果としての地理的情報と一緒に表示してもよい。
【００７１】
以上のような第２の変形例によっても、上述した実施の形態と同様に、地理的情報取得部３２ａが、設定中の着せ替えテーマに関連する地理的情報を取得し、端末出力部２５が、取得した設定中の着せ替えテーマに関連する地理的情報を出力するため、ユーザが関心のある情報を出力することができる。
【００７２】
（第３の変形例）
第３の変形例について、図１２および図１３を参照して説明する。図１２は、第３の変形例に係る情報処理システム１の動作の一例を示すフローチャートである。図１３は、第３の変形例に係る情報処理システム１により表示される画面の一例を示す図である。第３の変形例において、着せ替えテーマ設定部２２ａが着せ替えテーマを設定する工程（ステップＳ３０）は、図３に示す実施の形態の対応する工程（ステップＳ１０）と同様であり、説明を省略する。
【００７３】
着せ替えテーマ変更部２２ａは、着せ替えテーマを新たに設定したのち、設定された着せ替えテーマ（たとえば、「Ｎａｖｉ  Ｓｔｏｒｙ」の着せ替えテーマ）の情報を、端末通信部２１を通じてサーバ３に送信する。
【００７４】
サーバ制御部３２は、端末装置２から送信された設定中の着せ替えテーマに対応する画面設定情報を、サーバ記憶部３３に記憶された着せ替え情報データベースから読み出して、サーバ通信部３１を通じて端末装置２に送信する。
【００７５】
端末制御部２２は、サーバ３から送信された画面設定情報に基づいて、端末出力部２５に表示されるホーム画面、地図表示画面、地理的情報検索画面、経路探索画面、経路案内画面などの各種の画面を構成する、レイアウト、色設定、画像、音声などのアプリケーションのユーザインターフェースに係る設定を変更する（すなわち、着せ替えを行う）。
【００７６】
たとえば、端末制御部２２は、図６に示すような設定された着せ替えテーマに応じたホーム画面を端末出力部２５に表示する。図６に示す例では、ホーム画面は、「Ｎａｖｉ  Ｓｔｏｒｙ」の着せ替えテーマとして着せ替え情報データベースに記憶されていた背景画像５０Ｂや着せ替えアイコン５１、地図表示アイコン５２、地理的情報検索アイコン５３などから構成されている。
【００７７】
次に、端末制御部２２は、たとえば、ＧＰＳ、ビーコンなどの電波航法手段による測位情報に基づいて端末装置２の現在位置の情報を取得する（ステップＳ３１）。端末制御部２２は、端末装置２の現在の位置情報および設定中の着せ替えテーマの情報を、端末通信部２１を通じてサーバ３に送信する。
【００７８】
地理的情報取得部３２ａは、端末装置２から送信された現在の位置情報および設定中の着せ替えテーマの情報に基づいて、端末装置２の現在位置の周辺にある、設定中の着せ替えテーマに関連する地理的情報（ＰＯＩ情報）を、地図情報データベースから取得する（ステップＳ１３）。具体的には、たとえば、地理的情報取得部３２ａは、図２を参照し、設定中の着せ替えテーマ（「Ｎａｖｉ  Ｓｔｏｒｙ」の着せ替えテーマ）に対応付けられたカテゴリ（「映画」）の情報を着せ替え情報データベースから取得し、取得したカテゴリに関連するＰＯＩの情報（たとえば「映画館」の情報）を、地理的情報として地図情報データベースから取得する。地理的情報取得部３２ａは、第１の変形例と同様に、設定中の着せ替えテーマ（「Ｎａｖｉ  Ｓｔｏｒｙ」の着せ替えテーマ）に関連する情報（たとえば、「Ｎａｖｉ  Ｓｔｏｒｙ」の上映時間）を、外部の検索エンジンなどを利用してさらに取得してもよい。
【００７９】
サーバ制御部３２は、地理的情報取得部３２ａにより、端末装置２の現在位置の周辺にある、設定中の着せ替えテーマに関連する地理的情報を取得できたか否かを判定する（ステップＳ３３）。
【００８０】
設定中の着せ替えテーマに関連する地理的情報を取得できたと判定した場合には（ステップＳ３３：ＹＥＳ）、サーバ制御部３２は、地理的情報取得部３２ａにより取得された地理的情報を、サーバ通信部３１を通じて端末装置２に送信する。サーバ制御部３２は、取得した検索結果としての地理的情報に加えて、設定中の着せ替えテーマに関連する関連情報を、サーバ通信部３１を通じて端末装置２に送信してもよい。
【００８１】
端末出力部２５は、図１２に示すように、サーバ３から送信された地理的情報、すなわち端末装置２の現在位置の周辺にある、設定中の着せ替えテーマに関連する地理的情報を、プッシュ通知９０により画面上に表示する（ステップＳ３４）。端末出力部２５は、第１の変形例と同様に、設定中の着せ替えテーマに関連する関連情報（「Ｎａｖｉ  Ｓｔｏｒｙ」の上映時間）を、設定中の着せ替えテーマに関連する地理的情報とともにプッシュ通知９０で表示してもよい。
【００８２】
以上のような第３の変形例によっても、上述した実施の形態と同様に、地理的情報取得部３２ａが、設定中の着せ替えテーマに関連する地理的情報を取得し、端末出力部２５が、取得した設定中の着せ替えテーマに関連する地理的情報を出力するため、ユーザが関心のある情報を出力することができる。
【００８３】
なお、上述した説明では、「Ｎａｖｉ  Ｓｔｏｒｙ」の着せ替えテーマに「映画」というカテゴリが対応付けられており、「Ｎａｖｉ  Ｓｔｏｒｙ」の着せ替えテーマが設定された場合には、「Ｎａｖｉ  Ｓｔｏｒｙ」の着せ替えテーマに関連する地理的情報として、「Ｎａｖｉ  Ｓｔｏｒｙ」を上映している「映画館」が表示されたが、これに限定されるものではなく、「Ｎａｖｉ  Ｓｔｏｒｙ」の着せ替えテーマに関連する地理的情報として、「Ｎａｖｉ  Ｓｔｏｒｙ」のロケ地などが表示されてもよい。また、他の例としては、たとえば、特定のスポーツチームの着せ替えテーマに「スポーツ」というカテゴリが対応付けられており、当該スポーツチームの着せ替えテーマが設定された場合には、当該スポーツチームの着せ替えテーマに関連する地理的情報として、当該スポーツチームの試合会場やキャンプ場、または当該スポーツチームを応援できる施設（たとえば、パブリックビューイング会場やスポーツ居酒屋など）が表示されてもよい。また、特定のテレビ情報番組のキャラクタの着せ替えテーマに「テレビ情報番組」というカテゴリが対応付けられており、当該テレビ情報番組のキャラクタの着せ替えテーマが設定された場合には、当該テレビ情報番組のキャラクタの着せ替えテーマに関連する地理的情報として、当該テレビ情報番組で放送された店舗や施設などが表示されてもよい。また、クレジットカードやポイントカード、電子マネーが利用できるカードをテーマにした着せ替えテーマに「ポイント」というカテゴリが対応付けられており、当該カードの着せ替えテーマが設定された場合には、当該カードの着せ替えテーマに関連する地理的情報として、ポイントがもらえるショップが優先的に表示されたり、ポイントがもらえるショップだけが表示されたりしてもよい。また、タレントの着せ替えテーマに「タレント」というカテゴリが対応付けられており、当該タレントの着せ替えテーマが設定された場合には、当該タレントの着せ替えテーマに関連する地理的情報として、当該タレントがＩｎｓｔａｇｒａｍ（登録商標）などのソーシャル・ネットワーク・サービス（ＳＮＳ）で投稿している店舗が優先的に表示されてもよい。また、ゼクシィ（登録商標）などの結婚情報雑誌をテーマにした着せ替えテーマに「結婚」というカテゴリが対応付けられており、当該結婚情報雑誌の着せ替えテーマが設定された場合には、当該結婚情報雑誌の着せ替えテーマに関連する地理的情報として、結婚に関連する地理的情報（式場、お祝い金のお返し品、ドレスショップ、ブライダルショップ等）が表示されてもよい。
【００８４】
（第４の変形例）
第４の変形例について、図１４〜図１６を参照して説明する。図１４は、第４の変形例に係る情報処理システム１の動作の一例を示すフローチャートである。図１５および図１６は、第４の変形例に係る情報処理システム１により表示される画面の一例を示す図である。第４の変形例において、着せ替えテーマ設定部２２ａが着せ替えテーマを設定する工程（ステップＳ４０）は、「Ｎａｖｉ  Ｓｔｏｒｙ」の着せ替えテーマ６２の代わりに「ナビエアライン」の着せ替えテーマ６３が選択される点以外は、図３に示す実施の形態の対応する工程（ステップＳ１０）と同様であり、説明を省略する。
【００８５】
着せ替えテーマ変更部２２ａは、着せ替えテーマを新たに設定したのち、設定された着せ替えテーマ（たとえば、「ナビエアライン」の着せ替えテーマ）の情報を、端末通信部２１を通じてサーバ３に送信する。
【００８６】
サーバ制御部３２は、端末装置２から送信された設定中の着せ替えテーマに対応する画面設定情報を、サーバ記憶部３３に記憶された着せ替え情報データベースから読み出して、サーバ通信部３１を通じて端末装置２に送信する。
【００８７】
端末制御部２２は、サーバ３から送信された画面設定情報に基づいて、端末出力部２５に表示されるホーム画面、地図表示画面、地理的情報検索画面、経路探索画面、経路案内画面などの各種の画面を構成する、レイアウト、色設定、画像、音声などのアプリケーションのユーザインターフェースに係る設定を変更する（すなわち、着せ替えを行う）。
【００８８】
たとえば、端末制御部２２は、図１４に示すような設定された着せ替えテーマに応じたホーム画面を端末出力部２５に表示する。図１４に示す例では、ホーム画面は、「ナビエアライン」の着せ替えテーマとして着せ替え情報データベースに記憶されていた背景画像５０Ｃや着せ替えアイコン５１、地図表示アイコン５２、地理的情報検索アイコン５３などから構成されている。また、ホーム画面には、検索探索条件を入力するための出発地点入力窓１０１および到着地点入力窓１０２、ならびに検索ボタン１０３が含まれる。
【００８９】
次に、着せ替えテーマ関連経路抽出部３２ｂは、端末装置２に設定中の着せ替えテーマに関連する移動経路を抽出する。
【００９０】
たとえば、端末装置２において、ユーザにより端末入力部２４を介して出発地点入力窓１０１、到着地点入力窓１０にそれぞれ出発地点、到着地点の検索ワードが入力され、検索ボタン１０３がクリック（またはタッチ）されると、端末制御部２２は、経路探索要求とともに、出発地点、到着地点の検索ワードと設定中の着せ替えテーマの情報とを、端末通信部２１を通じてサーバ３に送信する（ステップＳ４１）。
【００９１】
着せ替えテーマ関連経路抽出部３２ｂは、端末装置２に設定中の着せ替えテーマを考慮して、出発地点から到着地点までの経路の探索条件を設定する（ステップＳ４２）。具体的には、たとえば、経路探索条件設定部３２ｂは、図２を参照し、設定中の着せ替えテーマ（「ナビエアライン」の着せ替えテーマ）に対応付けられたカテゴリ（「航空会社」）の情報を着せ替え情報データベースから取得し、取得したカテゴリに関連する移動手段（たとえば「航空機」）を除外しないように、すなわち、取得したカテゴリに関連する移動手段を含むように、経路探索条件を設定する。ここで、「移動手段」は、航空機や列車などの移動体に限定されず、エレベータ、エスカレータなども含む。
【００９２】
なお、ステップＳ４１とステップＳ４２とは入れ替えてもよい。すなわち、着せ替えテーマ変更部２２ａが着せ替えテーマを設定すると（ステップＳ４０）、自動的に、着せ替えテーマ関連経路抽出部３２ｂが、端末装置２に設定中の着せ替えテーマを考慮して（たとえば、設定中の着せ替えテーマに関連する移動手段を除外しないように）、経路探索条件を予め設定しておく（ステップＳ４２）。次いで、端末装置２において、ユーザにより端末入力部２４を介して出発地点入力窓１０１、到着地点入力窓１０にそれぞれ出発地点、到着地点の検索ワードが入力され、検索ボタン１０３がクリック（またはタッチ）されると、端末制御部２２は、経路探索要求とともに、出発地点、到着地点の検索ワードとを、端末通信部２１を通じてサーバ３に送信する（ステップＳ４１）。着せ替えテーマ関連経路抽出部３２は、予め設定しておいた経路探索条件に、サーバ３から経路探索要求とともに送信された検索ワードを補完することで、出発地点から到着地点までの経路探索条件を設定してもよい。
【００９３】
次に、着せ替えテーマ関連経路抽出部３２ｂは、設定した経路探索条件を満たすような経路（たとえば、設定中の着せ替えテーマに関連する移動手段を含む経路）をネットワーク情報データベースおよび交通情報データベースを参照して抽出する（ステップＳ４３）。
【００９４】
サーバ制御部３２は、抽出した経路探索条件を満たす経路を、着せ替えテーマとは関連しない通常の探索条件で探索された候補経路とともにサーバ通信部３１を通じて端末装置２に送信する。
【００９５】
端末制御部２２は、設定中の着せ替えテーマ（「ナビエアライン」の着せ替えテーマ）の情報に基づいて、サーバ３から送信された経路の中から、設定中の着せ替えテーマに関連する移動経路（たとえば、航空会社として「ナビエアライン」を利用する経路）を特定する（ステップＳ４４）。
【００９６】
端末出力部２５は、図１６に示すように、サーバ３から送信された経路１１１〜１１３を表示する。このとき、端末出力部２５は、設定中の着せ替えテーマに関連する経路１１１（航空会社として「ナビエアライン」を利用する経路）が優先的に表示される順序で表示する（ステップＳ４５）。図１６に示す例では、航空会社として「ナビエアライン」を利用する経路１１１は、符号１１２を付された経路より到着時刻が遅いにも関わらず、上位に（優先的に）表示されている。
【００９７】
なお、着せ替えテーマ関連経路抽出部３２ｂは、設定した経路探索条件を満たすような経路を複数抽出し、複数の着せ替えテーマ関連経路を所定の基準に基づいた順序で表示されるよう、サーバ通信部３１を通じて端末装置２に送信してもよい。この場合、ステップＳ４４の処理は省略される。
【００９８】
なお、着せ替えテーマ関連経路抽出部３２ｂが、着せ替えテーマ関連経路に加えて、設定中の着せ替えテーマに関連する情報（たとえば、「ナビエアライン」の早割等のキャンペーン（広告情報）や空席情報や予約機能など）を取得し、端末出力部２５は、抽出した着せ替えテーマ関連経路を表示する際に、設定中の着せ替えテーマに関連する情報を追加で表示してもよい。また、着せ替えテーマ関連経路抽出部３２ｂが、着せ替えテーマ関連経路に加えて、設定中の着せ替えテーマに関連する広告情報を取得し、端末出力部２５が、抽出した着せ替えテーマ関連経路を表示する際に、取得した広告情報を追加で出力してもよい（ターゲティング広告）。
【００９９】
以上のような第４の変形例によれば、着せ替えテーマ関連経路抽出部３２ｂが、設定中の着せ替えテーマに関連する移動経路を抽出する。たとえば、着せ替えテーマ関連経路抽部３２ｂが、設定中の着せ替えテーマを考慮して経路探索条件を設定し、設定された経路探索条件に基づいて着せ替えテーマ関連経路を抽出する。そして、端末出力部２５が、抽出した着せ替えテーマ関連経路を出力する。ここで、「着せ替え」という行為は、ユーザの属性／関心の表明であり、ユーザは設定中の着せ替えテーマに関連する経路に対して関心を抱いている傾向がある。したがって、設定中の着せ替えテーマを考慮して設定された経路探索条件を満たすような経路を表示することにより、ユーザが関心のある情報を提示することができる。
【０１００】
なお、上述した説明では、「ナビエアライン」の着せ替えテーマに「航空会社」というカテゴリが対応付けられており、「ナビエアライン」の着せ替えテーマに関連する経路として、「ナビエアライン」を利用する経路が優先的に表示されたが、「ナビエアライン」の着せ替えテーマを選択するユーザは飛行機全般に関心を抱いている傾向があるから、航空会社を限定することなく飛行機を利用する経路全般が陸路のみの経路よりも優先的に表示されてもよい。また、他の例としては、たとえば、特定のベビー用品のブランドの着せ替えテーマを選択するユーザは子連れである可能性があるから、ベビー用品のブランドの着せ替えテーマに関連する経路として、階段が少ない経路やベビーカーが通れる道幅の経路が優先的に表示されてもよい。また、着せ替えテーマに関連するラッピングされた移動体（公共交通機関やレンタカーなど）がある場合、当該ラッピングされた移動体を利用した移動経路や当該ラッピングされた移動体のロケーション情報または発着時刻情報を表示したりしてもよい。また、特定のスポーツチームの着せ替えテーマに「スポーツ」というカテゴリが対応付けられており、当該スポーツチームの着せ替えテーマが設定された場合には、当該スポーツチームの着せ替えテーマに関連する移動経路として、スタジアムまで専用のバスを使った経路が表示されたり、試合開始前や終了後の移動経路として予め設定されている経路が優先的に表示されたりしてもよい（例えば、スタジアムから駅までの徒歩経路については、近所迷惑防止を目的として、主催者側が任意に予め設定した経路を表示してもよい）。また、スポーツ選手をテーマにした着せ替えテーマに「スポーツ選手」というカテゴリが対応付けられており、当該スポーツ選手の着せ替えテーマが設定された場合には、当該スポーツ選手の着せ替えテーマに関連する移動経路として、当該スポーツ選手が試合に出場する会場までの経路が表示されたり、その会場が現在位置から遠ければ（すなわち、現在位置からその会場までの距離が予め定められた距離を超えていれば）、自宅での観戦に間に合うように自宅までの経路が表示されたりしてもよい。
【０１０１】
なお、上述した実施形態で説明した情報処理システム１の少なくとも一部は、ハードウェアで構成してもよいし、ソフトウェアで構成してもよい。ハードウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０２】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０３】
さらに、一つまたは複数の情報処理装置によって情報処理システム１を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【０１０４】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【０１０５】
上記の記載に基づいて、当業者であれば、本発明の追加の効果や様々の変形を想到できるかもしれないが、本発明の態様は、上述した個々の実施形態に限定されるものではない。特許請求の範囲に規定された内容およびその均等物から導き出される本発明の概念的な思想と趣旨を逸脱しない範囲で種々の追加、変更および部分的削除が可能である。
【符号の説明】
【０１０６】
１      情報処理システム
２      端末装置
２１    端末通信部
２２    端末制御部
２２ａ  着せ替えテーマ設定部
２３    端末記憶部
２４    端末入力部
２５    端末出力部
３      サーバ
３１    サーバ通信部
３２    サーバ制御部
３２ａ  地理的情報取得部
３２ｂ  着せ替えテーマ関連経路抽出部
３３    サーバ記憶部
４      ネットワーク
【図１】
2019020210.tif 000003
【図２】
2019020210.tif 000004
【図３】
2019020210.tif 000005
【図４】
2019020210.tif 000006
【図５】
2019020210.tif 000007
【図６】
2019020210.tif 000008
【図７】
2019020210.tif 000009
【図８】
2019020210.tif 000010
【図９】
2019020210.tif 000011
【図１０】
2019020210.tif 000012
【図１１Ａ】
2019020210.tif 000013
【図１１Ｂ】
2019020210.tif 000014
【図１２】
2019020210.tif 000015
【図１３】
2019020210.tif 000016
【図１４】
2019020210.tif 000017
【図１５】
2019020210.tif 000018
【図１６】
2019020210.tif 000019